(57)【要約】【課題】  取付手間をあまりかけずに、取付向きを変えることができるようにする。【解決手段】  発光素子１１ａ及び受光素子１１ｂが取り付けられているケース２０には、互いに直交する二つのピン孔３１，３２が形成されている。このケース２０に対して、二つのピン孔３１，３２のうち、第一のピン孔３１の両側に、取付板４０ａ，４０ｂを取り付けることが可能であり、第二のピン孔３２の両側にも、取付板４０ｃ，４０ｄを取り付けることが可能である。【選択図】  図１
0003114641.tif 000002
【実用新案登録請求の範囲】
【請求項１】
発光素子と、該発光素子からの光を受ける受光素子とを備えているフォトセンサにおいて、
前記発光素子及び前記受光素子が取り付けられる基材を備え、
前記基材には、該基材を目的の位置に取り付けるための二以上の取付孔が形成され、
二以上の前記取付孔は、互いに異なる方向に伸びている、
ことを特徴とするフォトセンサ。
【請求項２】
請求項１に記載のフォトセンサにおいて、
前記二以上の取付孔のうち、第一の取付孔と、該第一の取付孔に対して異なる方向に伸びている第二の取付孔とは、互いに連通している、
ことを特徴とするフォトセンサ。
【請求項３】
請求項１に記載のフォトセンサにおいて、
前記基材には、第一の面と、該第一の面に対向している第二の面とが形成され、
前記二以上の取付孔のうち、第一の取付孔が前記第一の面から前記第二の面に貫通するよう形成され、
前記第一の面及び/又は前記第二の面には、前記第一の取付孔に挿通される取付棒部材と協同して、前記基材を目的の位置に固定するための突起又は凹みが設けられている、
ことを特徴とするフォトセンサ。
【請求項４】
請求項１に記載のフォトセンサにおいて、
前記基材には、第一の面と、該第一の面に対向している第二の面とが形成されていると共に、該第一の面と異なる向きに広がっている第三の面と、該第三の面に対向している第四の面とが形成され、
前記二以上の取付孔のうち、第一の取付孔が前記第一の面から前記第二の面に貫通するよう形成され、第二の取付孔が前記三の面から前記第四の面に貫通するよう形成され、
ことを特徴とするフォトセンサ。
【請求項５】
請求項４に記載のフォトセンサにおいて、
前記第一の取付孔と前記第二の取付孔とは、互いに異なる方向に伸び、且つ互いに連通している、
ことを特徴とするフォトセンサ。
【請求項６】
請求項４及び５のいずれか一項に記載のフォトセンサにおいて、
前記第一の面及び/又は前記第二の面には、前記第一の取付孔に挿通される取付棒部材と協同して、前記基材を目的の位置に固定するための突起又は凹みが設けられている、
ことを特徴とするフォトセンサ。
【請求項７】
請求項４から６のいずれか一項に記載のフォトセンサにおいて、
前記第三の面及び/又は前記第四の面には、前記第二の取付孔に挿通される取付棒部材と協同して、前記基材を目的の位置に固定するための突起又は凹みが設けられている、
ことを特徴とするフォトセンサ。
【考案の詳細な説明】
【技術分野】
【０００１】
本考案は、発光素子と、該発光素子からの光を受ける受光素子１１ｂとを備えているフォトセンサに関する。
【背景技術】
【０００２】
一般的に、発光素子と受光素子とを備えているフォトセンサは、これらの素子が取り付けられる基板又はケースに固定されている。このようなフォトセンサを目的の位置に取り付ける際には、例えば、フォトセンサの基板又はケースの取付穴、及び目的の位置に形成されているピン孔に、ピンを挿通させている。
【０００３】
しかし、このようにフォトセンサを取り付ける場合、目的の位置のピン孔等の位置に対して、フォトセンサの向きや位置が一義的に決まってしまい、フォトセンサの向きや位置を変えようとすると、例えば、ケースの取付穴の位置が異なるフォトセンサを用いることになる。すなわち、このようなタイプのフォトセンサは、取付向きの変更等、取付けの観点から、汎用性が低いと言える。
【０００４】
これに対して、例えば、特開2003−91108号公報に記載されている技術は、基板やケース等を用いずに、目的の位置に直接、発光素子及び受光素子を取り付けるものであるため、取付向きや位置を自由に変えることができるというメリットがある。
【考案の開示】
【考案が解決しようとする課題】
【０００５】
しかしながら、前述の特開2003−91108号公報に記載の技術では、発光素子及び受光素子を目的の位置に直接取り付けるにあたり、発光素子の固定位置に対して、受光素子を極めて正確に固定する必要があり、取り付けの手間が嵩むという問題点がある。
【０００６】
本考案は、このような従来の問題点に着目してなされたもので、取付手間をあまりかけずに、取付向きを変えることができるフォトセンサを提供することを目的とする。
【課題を解決するための手段】
【０００７】
前記問題点を解決するためのフォトセンサに係る考案は、
発光素子と、該発光素子からの光を受ける受光素子とを備えているフォトセンサにおいて、
前記発光素子及び前記受光素子が取り付けられる基材を備え、
前記基材には、該基材を目的の位置に取り付けるための二以上の取付孔が形成され、
二以上の前記取付孔は、互いに異なる方向に伸びていることを特徴とする。
【０００８】
ここで、前記二以上の取付孔のうち、第一の取付孔と、該第一の取付孔に対して異なる方向に伸びている第二の取付孔とは、互いに連通していることが好ましい。
【考案の効果】
【０００９】
本考案によれば、発光素子及び受光素子が予め基材に取り付けられているため、手間をあまりかけずに、フォトセンサを目的の位置に取り付けることができる。さらに、本考案では、発光素子及び受光素子が取り付けられている基材に、互いに異なる方向に伸びている二以上の取付孔が形成されているので、取付向きを変えることもできる。
【考案を実施するための最良の形態】
【００１０】
以下、本考案に係るフォトセンサの一実施形態にについて、図面を用いて説明する。
【００１１】
本実施形態のフォトセンサは、図６及び図７に示すように、センサ回路ユニット１０と、これを覆うケース（基材）２０とを備えている。
【００１２】
センサ回路ユニット１０は、図７に示すように、発光素子１１ａと、受光素子１１ｂと、これらの素子１１ａ，１１ｂを駆動する駆動回路（図示されていない）と、発光素子１１ａを支持する発光素子支持部１２ａと、受光素子１１ｂを支持する受光素子支持部１２ｂと、駆動回路を支持すると共に、発光素子１１ａと受光素子１１ｂとが対向するように発光素子支持部１２ａ及び受光素子支持部１２ｂを支持する支持ベース部１３と、を有している。
【００１３】
ここで、以下の説明の都合上、発光素子１１ａから受光素子１１ｂへ向かう方向をＺ方向、Ｚ方向に垂直な方向であって、各素子支持部１２ａ，１２ｂに対して支持ベース部１３が存在する方向をＹ方向、Ｚ方向及びＹ方向に垂直な方向をＸ方向とする。
【００１４】
ケース２０は、図７に示すように、センサ回路ユニット１０が収納される回路ユニット収納部２３と、ケース２０を目的の位置に固定するための固定ピンが挿通されるピン孔３１，３２が形成されているピン孔形成部３０と、ケース２０を目的の位置に固定するためにボス３６及びボス穴３７が形成されているボス形成部３５と、を有している。回路ユニット収納部２３は、センサ回路ユニット１０の支持ベース部１３を収納するベース収納部２４と、発光素子１１ａ及び発光素子支持部１２ａを収納する発光素子収納部２１ａと、受光素子１１ｂ及び受光素子支持部１２ｂを収納する受光素子収納部２１ｂと、を有している。発光素子収納部２１ａと受光素子収納部２１ｂとは、互いに平行にＹ方向に伸び且つ対向している。各素子収納部２１ａ，２１ｂの他方の収納部側の部分は、図５及び図７に示すように、発光素子１１ａからの光が受光素子１１ｂに至るように切り欠かれたスリット２２ａ，２２ｂが形成されている。ベース収納部２４の（±）Ｘの側壁の内面には、センサ回路ユニット１０を固定するための爪穴２５が形成されている。センサ回路ユニット１０は、回路ユニット収納部２３に収納することで、センサ回路ユニット１０に形成されている爪１５（図２に示す）が前述の爪穴２５に嵌って、回路ユニット収納部２３内に固定される。つまり、発光素子１１a及び受光素子１１ｂは、間接的にケース２０に取り付けられる。また、ベース収納部２４の（±）Ｘの側壁の外面には、図３〜図６に示すように、ボス２６ａ，２６ｂが固定されている。
【００１５】
ピン孔形成部３０は、図１，図２及び図７に示すように、回路ユニット収納部２３のベース収納部２４を基準として、（＋）Ｚ方向側に設けられている。このピン孔形成部３０には、Ｘ方向に伸びる第一のピン孔（第一の取付孔）３１と、Ｙ方向に伸びる第二のピン孔（第二の取付孔）３２とが形成されている。第一のピン孔３１と第二のピン孔３２とは連通している、言い換えると、第一のピン孔３１の中心軸と第二のピン孔３２の中心軸とは直交している。
【００１６】
ボス形成部３５は、図７に示すように、回路ユニット収納部２３のベース収納部２４を基準として、（−）Ｚ方向側に設けられている。このボス形成部３５には、（＋）Ｙ方向に突出したボス３６と、（＋）Ｙ方向に凹んだボス穴３７とが形成されている。
【００１７】
次に、以上で説明したフォトセンサの各種取付態様について説明する。
【００１８】
まず、図１及び図８（ａ）に示すように、フォトセンサの（＋）Ｘ側に取付板４０ａがある場合について説明する。
【００１９】
取付板４０ａには、フォトセンサの第一のピン孔３１と同じ内径のピン孔４１ａと、フォトセンサの側壁に形成されているボス２６ａが嵌入可能なボス孔４２ａとが形成されている。また、取付板４０ａのピン孔４１ａの中心線とボス孔４２ａの中心線との間隔は、フォトセンサの第一のピン孔３１の中心線とボス２６ａの中心線との間隔になっている。
【００２０】
以上の取付板４０ａにフォトセンサを取り付ける際には、まず、取付板４０ａのボス孔４２ａに、フォトセンサのボス２６ａを挿通させる。続いて、取付板４０ａのピン孔４１ａ及びフォトセンサの第一のピン孔３１に、ピン４３ａを挿通させる。そして、このピン４３ａの先端に抜止具を取り付けて、このピン４３ａがフォトセンサから抜け落ちないようにする。以上で、フォトセンサは、取付板４０ａに固定される。
【００２１】
なお、ここでは、取付板４０ａにフォトセンサを固定するために取付棒部材としてピンを用いたが、この替わりに、ボルトやネジを用いてもよいことは言うまでもない。また、ここでは、取付板４０ａのボス孔４２ａにフォトセンサのボス２６ａを挿通させてから、取付板４０ａのピン孔４１ａ及びフォトセンサの第一のピン孔３１にピン４３ａを挿通させているが、先に、取付板４０ａのピン孔４１ａ及びフォトセンサの第一のピン孔３１にピン４３ａを挿通させてもよいことは言うまでもない。
【００２２】
次に、図１及び図８（ｂ）に示すように、フォトセンサの（−）Ｘ側に取付板４０ｂがある場合について説明する。
【００２３】
取付板４０ｂにも、取付板４０ａと同様に、フォトセンサの第一のピン孔３１と同じ内径のピン孔４１ｂと、フォトセンサの側壁に形成されているボス２６ｂが嵌入可能なボス孔４２ｂとが形成されている。また、取付板４０ｂのピン孔４１ｂの中心線とボス孔４２ｂの中心線との間隔は、フォトセンサの第一のピン孔３１の中心線とボス２６ｂの中心線との間隔になっている。
【００２４】
以上の取付板４０ｂにフォトセンサを取り付ける際には、先に説明した取付板４０ａの場合と同様に、取付板４０ｂのボス孔４２ｂに、フォトセンサのボス２６ｂを挿通させ、取付板４０ｂのピン孔４１ｂ及びフォトセンサの第一のピン孔３１に、ピン４３ｂを挿通させる。
【００２５】
次に、図１及び図９（ａ）に示すように、フォトセンサの（＋）Ｙ側に取付板４０ｃがある場合について説明する。
【００２６】
取付板４０ｃには、フォトセンサの第二のピン孔３２と同じ内径のピン孔４１ｃと、フォトセンサのボス形成部３５に形成されているボス３６が嵌入可能なボス孔４２ｃとが形成されている。また、取付板４０ｃのピン孔４１ｃの中心線とボス孔４２ｃの中心線との間隔は、フォトセンサの第二のピン孔３２の中心線とボス３６の中心線との間隔になっている。
【００２７】
以上の取付板４０ｃにフォトセンサを取り付ける際には、以上と同様に、取付板４０ｃのボス孔４２ｃに、フォトセンサのボス３６を挿通させ、取付板４０ｃのピン孔４１ｃ及びフォトセンサの第二のピン孔３２に、ピン４３ｃを挿通させる。
【００２８】
次に、図１及び図９（ｂ）に示すように、フォトセンサの（−）Ｙ側に取付板４０ｄがある場合について説明する。
【００２９】
取付板４０ｄには、フォトセンサの第二のピン孔３２と同じ内径のピン孔４１ｄと、フォトセンサのボス形成部３５に形成されているボス穴３７に嵌入可能なボス４２ｄとが形成されている。また、取付板４０ｄのピン孔４１ｄの中心線とボス４２ｄの中心線との間隔は、フォトセンサの第二のピン孔３２の中心線とボス穴３７の中心線との間隔になっている。
【００３０】
以上の取付板４０ｄにフォトセンサを取り付ける際には、フォトセンサのボス穴３７に取付板４０ｄのボス４２ｄを挿通させ、取付板４０ｄのピン孔４１ｄ及びフォトセンサの第二のピン孔３２に、ピン４３ｄを挿通させる。
【００３１】
以上のように、本実施形態では、二つのピン孔３１，３２が異なる方向に伸びているので、目的の位置に対する取付方向を適宜変えることができる。しかも、ピン孔３１，３２が二つあり、それぞれがケーシングを貫通しているので、各ピン孔に対して、正反対の方向から取付板を取り付けることができ、合計４箇所に、取付板を取り付けることができる。言い換えると、本実施形態では、フォトセンサを４つの態様で目的の位置に取り付けることができる。
【００３２】
また、本実施形態では、以上のように、フォトセンサを４つの態様で目的の位置に取り付けることができるように、二つのピン孔３１，３２をケース２０に形成しているが、二つのピン孔３１，３２が部分的に重なり会うように、各ピン孔３１，３２を形成しているので、一つのピン孔を形成しているときと比べて、ケースが大型化するのを回避することができる。
【００３３】
なお、本実施形態では、フォトセンサのボス形成部３５にボス穴３７を形成したが、このボス穴３７の替わりに、ボスを形成してもよい。また、フォトセンサのボス形成部３５のボス３６、フォトセンサの側壁に形成されているボス２６ａ，２６ｂの替わりに、ボス穴を形成してもよい。つまり、フォトセンサと取付板とのうちのいずれか一方に、突起であるボスを形成し、他方に凹みであるボス穴を形成すればよい。
【００３４】
本実施形態は、発光素子１１ａと受光素子１１ｂとの間に、物体が存在しない場合に、発光素子１１ａからの光が直接受光素子１１ｂに入射するタイプであるが、例えば、発光素子に対して、所定の位置に物体が存在する場合に、発光素子からの光が物体に反射して受光素子に入射するタイプ、いわゆる反射タイプのものに、本考案を適用してもよい。
【図面の簡単な説明】
【００３５】
【図１】本考案に係る一実施形態におけるフォトセンサの斜視図である。
【図２】図１におけるII線矢視図である。
【図３】図１におけるIII線矢視図である。
【図４】図１におけるIV線矢視図である。
【図５】図１におけるＶ矢視図である。
【図６】図１におけるＶI矢視図である。
【図７】図５におけるＶII−ＶII線におけるケーシングの断面図である。
【図８】本考案に係る一実施形態におけるフォトセンサの第一の取付態様（同図（a））及び第二の取付態様（同図（ｂ））を示す説明図である。
【図９】本考案に係る一実施形態におけるフォトセンサの第三の取付態様（同図（a））及び第四の取付態様（同図（ｂ））を示す説明図である。
【符号の説明】
【００３６】
１０：センサ回路ユニット、１１ａ:発光素子、１１ｂ：受光素子、２０：ケーシング、２６ａ，２６ｂ，３６：ボス、３１：第一のピン孔、３２：第二のピン孔、３７：ボス穴、４０ａ，４０ｂ，４０ｃ，４０ｃ：取付板、４３ａ，４３ｂ，４３ｃ，４３ｄ：ピン
【図１】
0003114641.tif 000003
【図２】
0003114641.tif 000004
【図３】
0003114641.tif 000005
【図４】
0003114641.tif 000006
【図５】
0003114641.tif 000007
【図６】
0003114641.tif 000008
【図７】
0003114641.tif 000009
【図８】
0003114641.tif 000010
【図９】
0003114641.tif 000011